(57)【要約】【課題】スピーカに入力する電気信号の信号レベルを上げることなく音量を大きくしたインターホン装置を提供する。【解決手段】外殻１は、後面が開口した直方体状であって、前壁２ａの裏側にスピーカが取り付けられたカバー２と、前面が開口した直方体状であって、該開口の周縁部とカバー２の開口の周縁部とを部分的に重ね合わせた状態でカバー２に被着されるボディ３とを備え、カバー２の開口周縁の少なくとも一部に他の部位よりも薄肉の薄肉部２５を設けることによって、カバー２とボディ３との間に音響用孔２２を形成するとともに、音響用孔２２が形成された薄肉部２５に複数の補強用リブ２６を形成してある。【選択図】      図１
2004343439.tif 000002
【特許請求の範囲】
【請求項１】
後面が開口したカバーと、前面が開口し、該開口を前記カバーの開口に合わせるようにして前記カバーに被着されるボディと、前記カバーの前壁の裏側に取着されるスピーカとを備え、前記カバーと前記ボディとは開口の周りの側壁先端部を重ね合わせた状態で結合されており、前記カバー又は前記ボディの内、少なくとも何れか一方の側壁における他方との重ね合わせ部に薄肉部を設けることによって、前記カバーの側壁と前記ボディの側壁との間に音響用孔を形成するとともに、前記薄肉部に補強用のリブを形成したことを特徴とするインターホン装置。
【請求項２】
前記カバーと前記ボディとは、前記ボディの開口の周りの側壁先端部を、前記カバーの開口内に挿入した状態で結合されており、前記薄肉部を、前記カバーの側壁における前記ボディとの重ね合わせ部に設けたことを特徴とする請求項１記載のインターホン装置。
【請求項３】
前記薄肉部における前記リブを形成した部位の厚みは、前記薄肉部以外の側壁の厚みと略同じ厚みであることを特徴とする請求項１又は２の何れかに記載のインターホン装置。
【発明の詳細な説明】
【０００１】
【発明の属する技術分野】
本発明は、ドアホン子器との間で通話を行うためのインターホン装置に関するものである。
【０００２】
【従来の技術】
従来より、玄関などに設置されたドアホン子器との間で通話を行うためのインターホン装置が提供されており、このようなインターホン装置としては図９（ａ）〜（ｃ）に示すような構造を有するものがあった。
【０００３】
インターホン装置の外殻１は、背面が開口した縦長の直方体状に形成されたカバー２と、前面が開口した縦長の直方体状に形成され、カバー２の開口を塞ぐようにしてカバー２の開口に被着されるボディ３とで構成される。外殻１の内部には通話等の回路が形成されたプリント基板が収納されており、カバー２の前壁２ａの裏側にはスピーカ（図示せず）が取り付けられている。また、前壁２ａにおけるスピーカの取付部位付近には、スピーカの音を外殻１の外側に出すための複数個の音孔６が貫設されている（例えば特許文献１参照）。
【０００４】
【特許文献１】
特開２０００−２５３１６１号公報（段落番号［０００２］、及び、第２図）
【０００５】
【発明が解決しようとする課題】
上記構成のインターホン装置では、スピーカの音を外殻１の外側に出すために、カバー２の前壁２ａに複数個の音孔６を貫設しているのであるが、仕様の変更等で外殻の形状を異ならせた場合には、同じ信号レベルの電気信号をスピーカに入力したとしても、音量が低下する場合がある。このような場合、従来は必要な音量を確保するために、スピーカに入力する電気信号の信号レベルを上げることで対応していたが、使用する電子部品の定格値や消費電力の制約によって、スピーカに入力する電気信号の信号レベルを上げることができない場合もあり、結果的に音量が不足するという問題があった。
【０００６】
本発明は上記問題点に鑑みて為されたものであり、その目的とするところは、スピーカに入力する電気信号の信号レベルを上げることなく音量を大きくしたインターホン装置を提供することにある。
【０００７】
【課題を解決するための手段】
上記目的を達成するために、請求項１の発明は、後面が開口した直方体状のカバーと、前面が開口した直方体状であって、該開口をカバーの開口に合わせるようにしてカバーに被着されるボディと、カバーの前壁の裏側に取着されるスピーカとを備え、カバーとボディとは開口の周りの側壁先端部を重ね合わせた状態で結合されており、カバー又はボディの内、少なくとも何れか一方の側壁における他方との重ね合わせ部に薄肉部を設けることによって、カバーの側壁とボディの側壁との間に音響用孔を形成するとともに、薄肉部を設けた側壁に補強用のリブを形成したことを特徴とする。
【０００８】
この発明によれば、カバー又はボディの内、少なくとも何れか一方の側壁における他方との重ね合わせ部に薄肉部を設けることで音響用孔を形成しているので、音響用孔を通して外側に出る音を大きくすることで、スピーカに入力する電気信号の信号レベルを上げることなく音量を大きくでき、そのうえ音響用孔はカバー及びボディの側壁の重ね合わせ部に薄肉部を形成することで形成されているので、音響用孔を外側からは殆ど見えないようにして見栄えを良くすることができる。さらに、薄肉部には補強用のリブを形成しているので、成形時の反りや外力によってカバーの薄肉部、すなわち音響用孔の変形が抑制され、安定した音量増加の効果が得られる。
【０００９】
また、請求項２の発明は、請求項１の発明において、カバーとボディとは、ボディの開口の周りの側壁先端部を、カバーの開口内に挿入した状態で結合されており、薄肉部を、カバーの側壁におけるボディとの重ね合わせ部に設けたことを特徴とする。
【００１０】
この発明によれば、ボディを造営面側にしてインターホン装置を造営面に取り付けた際に、音響用孔が造営面側に開口するので、使用者から見て音響用孔が目立たなくなり、外観の見栄えを悪くすることなく、音量を大きくできる。
【００１１】
また、請求項３の発明は、請求項１又は２の何れかの発明において、薄肉部におけるリブを形成した部位の厚みは、薄肉部以外の側壁の厚みと略同じ厚みであることを特徴とする。
【００１２】
この発明によれば、ボディとカバーとを重ね合わせた状態で、ボディ又はカバーの一方に形成したリブが、他方の側壁に当接した状態となるので、薄肉部を形成した部位が外力を受けて変形するのを防止できる。
【００１３】
【発明の実施の形態】
以下に、本発明に係るインターホン装置の実施形態を図１〜図８に基づいて説明する。尚、以下の説明では特に断りがないかぎり、図２（ａ）に示す向きにおいて上下左右の方向を規定し、図２（ａ）における正面を前面という。したがって、図２（ｂ）における左端は後端となる。
【００１４】
本実施形態のインターホン装置を用いたドアホンシステムの概略構成図を図８に示す。本実施形態のインターホン装置はインターホン副親機Ａと呼ばれるもので、玄関などに設置されたドアホン子器Ｃとの間でドアホン通話を行うインターホン親機Ｂに信号線Ｌを介して接続されている。そして、ドアホン子器Ｃからの呼出信号がインターホン親機Ｂを介して入力されると、スピーカ５から呼出音が鳴動し、この呼出に応じて通話釦７を操作すると、インターホン親機Ｂを介してドアホン子器Ｃとの間で回線が形成され、ドアホン子器Ｃとの間で通話を行うことができる。また、室内呼釦８を操作すると、信号線Ｌを介して接続されたインターホン親機Ｂや他のインターホン副親機（図示せず）のスピーカから呼出音が出力され、この呼出に応じてインターホン親機Ｂや他のインターホン副親機で通話釦７’が操作されると、通話釦７’が操作されたインターホン親機Ｂ又は他のインターホン副親機との間で回線が形成されて通話が行えるようになっている。また更に、インターホン親機Ｂには、電気錠Ｅの施錠／解錠を制御する電気錠操作器Ｄが接続されており、インターホン副親機Ａの施解錠釦９を操作すると、施解錠信号がインターホン親機Ｂを介して電気錠操作器Ｄに送信され、電気錠Ｅの施錠／解錠操作が行えるようになっている。
【００１５】
このインターホン副親機Ａの外殻１は、合成樹脂により背面が開口した縦長の直方体状に形成されたカバー２と、合成樹脂により前面が開口した縦長の直方体状に形成され、カバー２の開口を塞ぐようにしてカバー２の開口に被着される樹脂製のボディ３とで構成され、ボディ３の裏面側には施工面に取り付けるための金属製の取付板４が取着されている。ここで、ボディ３の後壁３ａには、タッピングねじのような組立ねじ１７を挿通する挿通孔１８ａが形成された円筒状のボス１８が４つ立設されている。一方、カバー２の前壁２ａの裏側には、挿通孔１８ａに対応する部位にねじ穴１９ａの形成された円筒状のボス１９が４つ立設されている。而して、カバー２とボディ３とは、ボディ３の挿通孔１８ａに後方より挿通した組立ねじ１７をカバー２のねじ穴１９ａに螺着することによって、開口の周りの側壁先端部を重ね合わせた状態（ボディ３の開口の周りの側壁先端部を、カバー２の開口内に挿入した状態）で結合されている。
【００１６】
また、カバー２の前壁２ａの裏側には、長手方向の中間部よりもやや下側の部位に丸型のスピーカ５が取り付けられる。スピーカ５の円周部からは、タッピングねじのような取付ねじ２０を挿通する挿通孔（図示せず）がそれぞれ形成された３つの鍔部５ａが約１２０度おきに突設されており、各鍔部５ａの挿通孔に取付ねじ２０を挿通して、取付ねじ２０の先端を前壁２ａの裏面に突設されたボス２１のねじ穴２１ａに螺着することによって、スピーカ５が前壁２ａの裏側にねじ止めされている。そして、カバー２の前壁２ａにおけるスピーカ５の取付部位付近には、スピーカ５の音を外殻１の外側に出すための複数個の音孔６が貫設されている。また、カバー２の前壁２ａには、上述の通話釦７がスピーカ５の下側に配設されるとともに、室内呼釦８及び施解錠釦９がスピーカ５の上側に上下に並べて配設されている。
【００１７】
一方、ボディ３の内部には、通話や電気錠Ｅの施解錠のための回路が形成されたプリント基板１０が収納されている。プリント基板１０には動作表示用の発光ダイオードＬＤ１〜ＬＤ３が実装されており、通話状態の表示を行う発光ダイオードＬＤ１は通話釦７と対向する部位に、電気錠Ｅの施錠／解錠状態を表示する発光ダイオードＬＤ２は施解錠釦９と対向する部位に、通話中を表示する発光ダイオードＬＤ３は前壁２ａの透光窓１１に対向する部位にそれぞれ実装されている。また、プリント基板１０の前面の下部には、スピーカ５の音量を調節するためのスライドスイッチ１２が実装されており、スライドスイッチ１２の摘み１２ａは、カバー２とボディ３との接合部位に形成された貫通孔１３を通して外殻１の外部に露出している。また、ボディ３の下側の側壁３ｂには音孔２８が設けられ、この音孔２８にマイク２７が対向するようにして、マイク２７を実装した基板３０がボディ３内部に配設されており、基板３０とプリント基板１０とはリード線３１を介して電気的に接続されている。また、プリント基板１０にはスピーカ５からのリード線に接続されたコネクタ５ｂが接続されるコネクタ２９が実装されている。また、ボディ３の後壁３ａに設けた貫通孔１４からは、信号線を接続するための速結端子構造の端子部１５と、動作設定のためのディップスイッチ１６とが露出している。
【００１８】
上述のようにインターホン副親機Ａのカバー２の前壁２ａ裏面側にはスピーカ５が配設されており、スピーカ５の音を効率良く外部へ出力するために、前壁２ａには複数個の音孔６が貫設されているのであるが、音孔６だけでは外部で聞こえる音が小さいため、本実施形態ではカバー２とボディ３との接合部位に音響用孔２２を形成している。
【００１９】
従来のインターホン装置では、図１（ｂ）に示すように、カバー２の側壁２ｂの先端部内側面に凹部２３を略全周に亘って形成するとともに、ボディ３の側壁３ｂの先端部外側面にカバー２の側壁２ｂが入り込む凹部２４を略全周に亘って形成しており、側壁２ｂにおける凹部２３の形成部位と側壁３ｂにおける凹部２４の形成部位とを重ね合わせた状態でカバー２とボディ３とが結合されているので、カバー２とボディ３との結合部位に殆ど隙間がなく、この結合部位から外部に漏れるスピーカ５の音は僅かである。
【００２０】
それに対して本実施形態では、図１（ａ）に示すように、カバー２の側壁２ｂの先端部内側面に凹部２３を略全周に亘って形成するとともに、側壁２ｂの先端部内側面の一部（上側の側壁２ｂの略全体と、左右の側壁２ｂの上側部）に他の部位よりも薄肉の薄肉部２５を形成してある。薄肉部２５を形成した部位にはカバー２の側壁２ｂとボディ３の側壁３ｂとの間に隙間（音響用孔２２）が形成され、この音響用孔２２を通してスピーカ５の音が外部に出力されるので、従来に比べてスピーカ５に入力する電気信号の信号レベルを上げることなく音量を大きくできる。
【００２１】
また、カバー２の側壁２ｂにおける薄肉部２５の形成部位には、図６（ａ）〜（ｃ）に示すように前後方向に沿って延びる複数の補強用リブ２６が一定の間隔で形成されている。薄肉部２５の形成部位は、側壁２ｂの他の部位に比べて強度が低くなっているので、図７（ａ）〜（ｃ）に示すように薄肉部２５に補強用リブ２６が形成されていない場合は、成形時の反りや外力によって薄肉部２５の形成部位に二点鎖線Ｘで示すような変形が生じる場合があり、側壁２ｂ，３ｂの変形によって音響用孔２２の形状が変化するために、音響用孔２２による音量の増大効果が不安定になる。それに対して、本実施形態では薄肉部２５の形成部位に複数の補強用リブ２６を一定の間隔で形成しているので、薄肉部２５の形成部位の強度を増して成形時の反りや外力によって変形しにくくでき、音響用孔２２の変形を防止して、音響用孔２２による音量の増大効果を安定させることができる。また、カバー２に設けた補強用リブ２６は、カバー２とボディ３とを重ね合わせた状態で、ボディ３の側壁３ｂに当接するような形状に形成されているので、補強用リブ２６が側壁３ｂと当接することで、薄肉部２５の形成部位の強度を増して、成形時の反りや外力などで変形し難くできる。
【００２２】
なお、本実施形態では、カバー２の側壁２ｂ先端部に薄肉部２５を形成することで、ボディ３の側壁３ｂとの間に音響用孔２２を形成しているが、ボディ３の側壁３ｂ先端部に薄肉部を形成することで、カバー２の側壁２ｂとの間に薄肉部を形成するようにしても良い。また本実施形態では、カバー２とボディ３とを、ボディ３の開口の周りの側壁３ｂ先端部をカバー２の開口内に挿入した状態で結合しており、薄肉部２５（音響用孔２２）はカバー２とボディ３との重ね合わせ部に設けられているので、音響用孔２２が外部から殆ど見えることはなく、ボディ３を造営面側にして外殻１を造営面に取り付けた際には、音響用孔２２が造営面側に開口するから、使用者から見て音響用孔が目立たなくなり、外観の見栄えを悪くすることなく音量を大きくできる。
【００２３】
【発明の効果】
以上説明したように、請求項１の発明では、カバー又はボディの内、少なくとも何れか一方の側壁における他方との重ね合わせ部に薄肉部を設けることで音響用孔を形成しているので、音響用孔を通して外側に出る音を大きくすることで、スピーカに入力する電気信号の信号レベルを上げることなく音量を大きくでき、そのうえ音響用孔はカバー及びボディの側壁の重ね合わせ部に薄肉部を形成することで形成されているので、音響用孔を外側からは殆ど見えないようにして見栄えを良くすることができる。さらに、薄肉部には補強用のリブを形成しているので、成形時の反りや外力によってカバーの薄肉部、すなわち音響用孔の変形が抑制され、安定した音量増加の効果が得られる。
【００２４】
また、請求項２の発明では、ボディを造営面側にしてインターホン装置を造営面に取り付けた際に、音響用孔が造営面側に開口するので、使用者から見て音響用孔が目立たなくなり、外観の見栄えを悪くすることなく、音量を大きくできる。
【００２５】
また、請求項３の発明では、ボディとカバーとを重ね合わせた状態で、ボディ又はカバーの一方に形成したリブが、他方の側壁に当接した状態となるので、薄肉部を形成した部位が外力を受けて変形するのを防止できる。
【図面の簡単な説明】
【図１】（ａ）は本実施形態のインターホン装置の要部断面図、（ｂ）は従来のインターホン装置の要部断面図である。
【図２】本実施形態のインターホン装置を示し、（ａ）は正面図、（ｂ）は側面図、（ｃ）は下面図である。
【図３】同上を示し、取付板を外した状態の背面図である。
【図４】同上のボディを外した状態を後方から見た図である。
【図５】同上のカバーを外した状態を前方から見た図である。
【図６】同上のカバーを示し、（ａ）は一部省略せる背面図、（ｂ）は一部省略せる側断面図、（ｃ）はＡ−Ａ断面図である。
【図７】同上の比較例のカバーを示し、（ａ）は一部省略せる背面図、（ｂ）は一部省略せる側断面図、（ｃ）はＢ−Ｂ断面図である。
【図８】本実施形態を用いたドアホンシステムの概略構成図である。
【図９】従来のインターホン装置を示し、（ａ）は正面図、（ｂ）は側面図、（ｃ）は下面図である。
【符号の説明】
１    外殻
２    カバー
２ａ  前壁
３    ボディ
２２  音響用孔
２５  薄肉部
２６  補強用リブ
【図１】
2004343439.tif 000003
【図２】
2004343439.tif 000004
【図３】
2004343439.tif 000005
【図４】
2004343439.tif 000006
【図５】
2004343439.tif 000007
【図６】
2004343439.tif 000008
【図７】
2004343439.tif 000009
【図８】
2004343439.tif 000010
【図９】
2004343439.tif 000011